(57)【要約】      （修正有）【課題】位置情報送受信端末を回収するための工程数が増加することなく、混載貨物であっても簡単な方法で貨物の現在位置を特定することができる伝票収納袋及びこれを用いた配送システムを提供する。【解決手段】貨物を配送する際に、貨物とともに配送されて配送後に回収される配送伝票を収納するための袋本体を備えた伝票収納袋である。無線通信網３を介して袋本体の位置情報をサーバ装置２に無線送信する位置情報送受信端末１を袋本体に設けて、袋本体の現在位置を取得することにより貨物の現在位置を特定する。【選択図】図１
0003152722.tif 000002
【実用新案登録請求の範囲】
【請求項１】
貨物を配送する際に、貨物とともに配送されて配送後に回収される配送伝票を収納するための袋本体を備えた伝票収納袋であって、
無線通信網を介して袋本体の位置情報をサーバ装置に無線送信する位置情報送受信端末を前記袋本体に設けて、袋本体の現在位置を取得することにより貨物の現在位置を特定することを特徴とする伝票収納袋。
【請求項２】
前記位置情報送受信端末は、ＧＰＳ衛星からの電波を受信して、前記袋本体の現在位置を取得することを特徴とする請求項１に記載の位置情報発信機能を具備した伝票収納袋。
【請求項３】
配送伝票とともに配送される貨物の現在位置を遠隔地において管理する配送システムであって、
貨物に関する情報を取得して情報の通信を行う位置情報送受信端末と、
無線通信網を介して各位置情報送受信端末と情報の通信を行い、貨物の現在位置に関する情報の管理を行うサーバ装置とを備え、
前記位置情報送受信端末に、
貨物の識別情報を記憶する記憶手段と、
貨物の位置に関する情報を取得する位置取得手段と、
前記位置取得手段から得られた貨物の位置情報、及び前記記憶手段から得られた貨物の識別情報を前記サーバ装置に送信する送信手段とを設けるとともに、
前記サーバ装置に、
前記送信手段により送信された貨物の位置情報及び貨物の識別情報を、無線通信網を介して受信する受信手段を設けたことを特徴とする配送システム。
【考案の詳細な説明】
【技術分野】
【０００１】
本考案は、位置特定用の自己発信型ＩＣチップを埋め込んだ伝票収納袋、及びこれを用いた配送システムに関するものである。
【背景技術】
【０００２】
従来、貨物や商品の輸送状況を一元管理する方法として、様々な方法が提案されている。例えば、貨物自体に位置情報送受信端末（ＧＰＳ受信機）を取り付けて、貨物の位置情報を取得する方法がある（特許文献１）。また、貨物を収納するコンテナや、貨物を載置するパレットに位置情報送受信端末を取り付けて、コンテナやパレットの位置を特定することにより、貨物の位置情報を取得する方法も知られている（特許文献２）。
【先行技術文献】
【特許文献】
【０００３】
【特許文献１】特開２００６−２３２４９５号公報
【特許文献２】実用新案登録第３０９３３６４号公報
【考案の概要】
【考案が解決しようとする課題】
【０００４】
しかしながら、前記特許文献１に記載のものでは、貨物自体に位置情報送受信端末を取り付ける必要があり、その取付作業は困難である。すなわち、貨物によっては取付部位を確保できなかったり、取付られたとしても、その取付状態が安定しなかったりする。さらに、配送後は端末を回収するための工程が必要となり、また、貨物から端末のみを除去することは困難である。
【０００５】
また、前記特許文献２に記載のものでは、コンテナやパレットに位置情報送受信端末を取り付けるので、コンテナやパレットを用いる場合のみに対応できるものである。すなわち、トラック等の配送手段に貨物が混載されている（複数の配送元の多くの貨物を、一つの配送手段に積み合わせ輸送する方式）場合のように、一般的にコンテナやパレットを使用しないものには、この方法は採用することができない。
【０００６】
本考案は、上記課題に鑑みて、位置情報送受信端末を回収するための工程数が増加することなく、混載貨物であっても簡単な方法で貨物の現在位置を特定することができる伝票収納袋及びこれを用いた配送システムを提供する。
【課題を解決するための手段】
【０００７】
本考案の伝票収納袋は、貨物を配送する際に、貨物とともに配送されて配送後に回収される配送伝票を収納するための袋本体を備えた伝票収納袋であって、無線通信網を介して袋本体の位置情報をサーバ装置に無線送信する位置情報送受信端末を前記袋本体に設けて、袋本体の現在位置を取得することにより貨物の現在位置を特定するものである。
【０００８】
本考案の伝票収納袋によれば、配送伝票は、位置情報送受信端末が設けられた袋本体に収納される。そして、配送伝票が収納された袋本体は、貨物と共に配送先に配送される。これにより、配送先に貨物が搬送されるまでは、袋本体に設けられた位置情報送受信端末にて袋本体の位置情報を取得でき、貨物の現在位置を特定することができる。また、配送後は、配送伝票が収納された袋本体を回収する。これにより、配送先から配送伝票を回収するという工程と同時に位置情報送受信端末を回収することができる。この場合、袋本体の現在位置を特定することができるため、配送伝票の回収状況が分かる。
【０００９】
前記位置情報送受信端末は、ＧＰＳ衛星からの電波を受信して、自己の現在位置を特定する位置取得手段を備えたものとすることができる。これにより、リアルタイムで自動的に袋本体の緯度、経度がわかり、貨物の位置情報を取得することができる。
【００１０】
本考案の配送システムは、配送伝票とともに配送される貨物の現在位置を遠隔地において管理する配送システムであって、貨物に関する情報を取得して情報の通信を行う位置情報送受信端末と、無線通信網を介して各位置情報送受信端末と情報の通信を行い、貨物の現在位置に関する情報の管理を行うサーバ装置とを備え、前記位置情報送受信端末に、貨物の識別情報を記憶する記憶手段と、貨物の位置に関する情報を取得する位置取得手段と、前記位置取得手段から得られた貨物の位置情報、及び前記記憶手段から得られた貨物の識別情報を前記サーバ装置に送信する送信手段とを設けるとともに、前記サーバ装置に、前記送信手段により送信された貨物の位置情報及び貨物の識別情報を、無線通信網を介して受信する受信手段を設けたものである。
【考案の効果】
【００１１】
本考案の伝票収納袋は、配送先に配送されるまでは、袋本体に設けられた位置情報送受信端末にて貨物の位置を特定することができ、搬送後は、配送伝票が収納された袋本体を回収するという工程を経ることにて位置情報送受信端末を回収することができる。これにより、貨物の配送後にコンテナやパレットを回収したり、貨物から位置情報送受信端末を取り除いたりする等、位置情報送受信端末を回収するための工程を省略することができる。従って、工程数が増加することなく、簡単な方法で貨物の現在位置を特定することができる。しかも、コンテナやパレットに位置情報送受信端末を設ける必要がなくなるため、コンテナやパレットを使用しない混載貨物を配送する場合でも、簡単な方法で貨物の現在位置を特定することができる。さらに、搬送後は、袋本体の現在位置を特定することができるため、配送伝票の回収状況も分かり、効率よく配送伝票を回収できるという利点もある。
【００１２】
前記位置情報送受信端末をＧＰＳチップとすると、リアルタイムで自動的に袋本体の緯度、経度を取得することができて、貨物の位置を常時正確に特定することができる。
【００１３】
本考案の配送システムは、位置情報送受信端末を回収するための工程数が増加することなく、簡単な方法で貨物の現在位置を特定できる。また、配送伝票の回収状況も分かり、効率よく配送伝票を回収できる。
【図面の簡単な説明】
【００１４】
【図１】本考案の配送システムを示すブロック図である。
【図２】本考案の伝票収納袋を示す正面図である。
【図３】本考案の配送システムの全体概略構成を示す図であり、（ａ）は貨物の配送中、（ｂ）は貨物の配送後であって配送伝票の未回収状態の図である。
【考案を実施するための形態】
【００１５】
以下本考案の実施の形態を図１〜図３に基づいて説明する。
【００１６】
本考案の配送システムは、配送伝票とともに運搬される貨物の現在位置を遠隔地（例えば、配送センタ）において管理するものである。この配送システムは、図１に示すように、位置情報送受信端末１と、無線通信網３を介して各位置情報送受信端末１と情報の通信を行うサーバ装置２とを備えている。位置情報送受信端末１は、記憶手段４と、位置取得手段５と、送信手段６とを備えている。サーバ装置２は受信手段７を備えており、このサーバ装置２に情報処理手段８が繋がっている。
【００１７】
図２に示すように、袋本体１０と位置情報送受信端末１とで、本考案の伝票収納袋を構成している。すなわち、伝票収納袋は、袋本体１０にチップ状の端末である位置情報送受信端末１が埋め込まれることにより構成されている。袋本体１０は、例えば、紙、合成樹脂フィルム等種々のものから構成することができる。
【００１８】
貨物を配送する際に、貨物の配送状況等が記載された配送伝票が貨物とともに配送される。そして、配送先に貨物が配送された後は、配送伝票が回収される。すなわち、貨物の配送を開始してから、配送先から回収されるまでの間は、配送伝票は貨物とともに移動することになる。この配送伝票を、本発明の伝票収納袋に収納することによって、配送前は貨物の現在位置を知ることができ、配送後は、未回収の配送伝票の位置を特定することができる。
【００１９】
記憶手段４は、貨物を識別可能とする識別情報が記憶されたものである。識別情報として、例えば、配送元と配送先の住所、名前、荷物の寸法、重量等とすることができる。
【００２０】
位置取得手段５は、ＧＰＳ（Global Positioning System）衛星１５（図３参照）からの電波を受信し、自らの位置情報を割り出す測地機能を有している。具体的には、ＧＰＳ衛星１５からのＧＰＳ電波を受信するためのＧＰＳアンテナと、ＧＰＳアンテナで受信したＧＰＳ電波に含まれるＧＰＳ信号から現在の位置を算出し、この結果を出力するＧＰＳ受信機とから構成されている。これにより、ＧＰＳ衛星１５からの電波信号を基に、袋本体１０の緯度及び経度の位置情報を取得する。
【００２１】
送信手段６は、サーバ装置２との間で無線通信を行なうための通信ユニットであり、袋本体１０の位置情報、及び貨物に関する識別情報を無線通信網を介してサーバ装置２へ転送する。
【００２２】
サーバ装置２は、例えば配送センタ等に設けられ、貨物の現在位置を配送センタにおいて管理するものである。
【００２３】
受信手段７は、サーバ装置２に内蔵されるものであり、位置情報送受信端末１との間で無線通信を行なうための通信ユニットである。この受信手段７は、送信手段６により送信された袋本体１０の位置情報、及び貨物に関する識別情報を受信する。
【００２４】
情報処理手段８は、受信手段７にて受信した位置情報の処理を行って、例えば位置情報を地図上に画面表示して閲覧する等の処理ができるものである。情報処理手段８は、例えば、パーソナルコンピュータから構成され、入力部、出力部、ＣＰＵ、記憶部、表示部（液晶表示装置、ＣＲＴ等）、入力機器（マウス、キーボード等）、出力機器（プリンタ等）等を有している。また、受信した経度、緯度を地図表示するためのデータベースを備えることもできる。
【００２５】
次に、本考案の配送システムを用いて貨物を配送する方法について説明する。本実施形態では、複数の配送元の多くの貨物を、一つの配送手段に積み合わせ輸送する、いわゆる混載輸送を行う場合について説明する。まず、貨物の配送先、配送元、貨物の内容等が記載された配送伝票を、図２に示すような本考案の伝票収納袋に収納する。そして、伝票収納袋を貨物に固着して、図３（ａ）に示すようにトラック等の配送手段１６にて、貨物とともに伝票収納袋を配送する。これにより、袋本体１０に設けられた位置情報送受信端末１にて袋本体１０の経度、緯度を取得でき、貨物の現在位置を特定することができる。
【００２６】
そして、送信手段６は、袋本体１０の経度、緯度、及び記憶手段４に格納されている識別情報を、無線通信網を介してサーバ装置２へ転送する。これにより、サーバ装置２の受信手段７は、送信手段６から送られる信号を受信して、リアルタイムで自動的に袋本体１の経度、緯度、及び識別情報を取得でき、貨物の現在位置をリアルタイムで常時特定することができる。貨物の位置確認を行った結果、例えば貨物が規定された配送ルートから外れている場合は、配送センタからドライバーにその旨を通知する等の対応を行うことができる。
【００２７】
貨物を配送先に配送した後は、配送伝票が収納された袋本体１０を配送先から回収する。すなわち、貨物の配送が終了した後、配送伝票が未回収である場合は、図３（ｂ）に示すように、袋本体１０は配送先に存在することから袋本体１０の現在位置は配送先を示すことになる。従って、袋本体１０の存在する配送先から袋本体１０を回収すればよい。このように、配送伝票を回収するという工程と同時に、位置情報送受信端末１を回収することができる。しかも、搬送後は、袋本体１０の現在位置を特定することができるため、配送伝票の回収状況も分かる。
【００２８】
なお、配送中であっても配送後であっても、必要に応じて貨物の現在位置を情報処理手段８により表示させることができる。
【００２９】
このように本考案では、貨物が配送先に配送されるまでは、袋本体１０に設けられた位置情報送受信端末１にて貨物の位置を特定することができ、搬送後は、配送伝票が収納された袋本体１０を回収するという工程と同時に位置情報送受信端末１を回収することができる。これにより、貨物の配送後にコンテナやパレットを回収したり、貨物から位置情報送受信端末１を取り除いたりする等、位置情報送受信端末１を回収するための工程を省略することができる。従って、工程数が増加することなく、簡単な方法で貨物の現在位置を特定することができる。しかも、コンテナやパレットに位置情報送受信端末１を設ける必要がなくなるため、コンテナやパレットを使用しない混載貨物を配送する場合でも、簡単な方法で貨物の現在位置を特定することができる。さらに、搬送後は、袋本体１０の現在位置を特定することができるため、配送伝票の回収状況も分かり、効率よく配送伝票を回収できるという利点もある。
【００３０】
位置情報送受信端末１をＧＰＳチップとすると、リアルタイムで袋本体１０の緯度、経度を取得することができて、貨物の位置を常時正確に特定することができる。
【００３１】
以上、本考案の実施形態につき説明したが、本考案は前記実施形態に限定されることなく種々の変形が可能であって、例えば、サーバ装置２や情報処理手段８の数は任意であって、複数設けてもよい。また、実施形態では説明を簡単にするため、位置情報送受信端末１、つまり貨物の数を１つとして説明したが、同時に複数の貨物の現在位置を特定することができる。袋本体１０の大きさや形状、色、材質は種々のものを使用することができ、袋本体１０は透明であってもよい。また、袋本体１０において、位置情報送受信端末１を設ける場所は任意の場所とすることができる。さらには、袋以外でも伝票をとめるクリップ等にＧＰＳを埋め込むこともできる。
【符号の説明】
【００３２】
１      位置情報送受信端末
２      サーバ装置
３      無線通信網
４      記憶手段
５      位置取得手段
６      送信手段
７      受信手段
８      情報処理手段
１０    袋本体
【図１】
0003152722.tif 000003
【図２】
0003152722.tif 000004
【図３】
0003152722.tif 000005
【手続補正書】
【提出日】平成21年6月10日(2009.6.10)
【手続補正１】
【補正対象書類名】明細書
【補正対象項目名】００１０
【補正方法】変更
【補正の内容】
【００１０】
本考案の配送システムは、貨物とともに配送される配送伝票が、伝票収納袋に収納されて、貨物の現在位置を遠隔地において管理する配送システムであって、前記伝票収納袋に設けられ、貨物に関する情報を取得して情報の通信を行う位置情報送受信端末と、無線通信網を介して各位置情報送受信端末と情報の通信を行い、貨物の現在位置に関する情報の管理を行うサーバ装置とを備え、前記位置情報送受信端末に、貨物の識別情報を記憶する記憶手段と、貨物の位置に関する情報を取得する位置取得手段と、前記位置取得手段から得られた貨物の位置情報、及び前記記憶手段から得られた貨物の識別情報を前記サーバ装置に送信する送信手段とを設けるとともに、前記サーバ装置に、前記送信手段により送信された貨物の位置情報及び貨物の識別情報を、無線通信網を介して受信する受信手段を設けたものである。
【手続補正２】
【補正対象書類名】実用新案登録請求の範囲
【補正対象項目名】全文
【補正方法】変更
【補正の内容】
【実用新案登録請求の範囲】
【請求項１】
貨物を配送する際に、貨物とともに配送されて配送後に回収される配送伝票を収納するための袋本体を備えた伝票収納袋であって、
無線通信網を介して袋本体の位置情報をサーバ装置に無線送信する位置情報送受信端末を前記袋本体に設けて、袋本体の現在位置を取得することにより貨物の現在位置を特定することを特徴とする伝票収納袋。
【請求項２】
前記位置情報送受信端末は、ＧＰＳ衛星からの電波を受信して、前記袋本体の現在位置を取得することを特徴とする請求項１に記載の位置情報発信機能を具備した伝票収納袋。
【請求項３】
貨物とともに配送される配送伝票が、伝票収納袋に収納されて、貨物の現在位置を遠隔地において管理する配送システムであって、
前記伝票収納袋に設けられ、貨物に関する情報を取得して情報の通信を行う位置情報送受信端末と、
無線通信網を介して各位置情報送受信端末と情報の通信を行い、貨物の現在位置に関する情報の管理を行うサーバ装置とを備え、
前記位置情報送受信端末に、
貨物の識別情報を記憶する記憶手段と、
貨物の位置に関する情報を取得する位置取得手段と、
前記位置取得手段から得られた貨物の位置情報、及び前記記憶手段から得られた貨物の識別情報を前記サーバ装置に送信する送信手段とを設けるとともに、
前記サーバ装置に、
前記送信手段により送信された貨物の位置情報及び貨物の識別情報を、無線通信網を介して受信する受信手段を設けたことを特徴とする配送システム。